【手続補正書】
【提出日】平成29年7月10日(2017.7.10)
【手続補正１】
【補正対象書類名】特許請求の範囲
【補正対象項目名】全文
【補正方法】変更
【補正の内容】
【特許請求の範囲】
【請求項１】
携帯型コンピューティングデバイス内の電力領域を動的に制御するための方法であって、前記電力領域が電源およびコントローラを共有する処理資源を含み、前記方法が、
前記携帯型コンピューティングデバイス内の前記電力領域における少なくとも2つの処理資源の現在の状態を監視するステップと、
前記携帯型コンピューティングデバイス内の前記電力領域における前記少なくとも2つの処理資源のうちの1つの前記現在の状態の変化を識別するステップであって、前記電力領域における前記少なくとも2つの処理資源のうちの1つの前記現在の状態の変化を識別することは、前記コントローラで始まって前記コントローラで終わるセンサバス上で互いに直列に結合される一組のセンサから、修正されたセンサチェーンプロトコルにより受け取られる情報に基づき、少なくとも1つのセンサは、前記コントローラと第1の処理資源との間に結合され、少なくとも1つのセンサは、前記コントローラと最後の処理資源との間に結合され、少なくとも1つのセンサは、前記処理資源の各々の中に含まれる、ステップと、
前記少なくとも2つの処理資源のうちの1つの前記現在の状態の前記識別された変化に応答して、前記電力領域への入力パラメータに対する調整を決定するステップと、
前記電力領域への前記入力パラメータに対する前記決定された調整を適用するステップと
を含む方法。
【請求項２】
前記少なくとも2つの処理資源のうちの1つの前記現在の状態の変化を識別するステップが、前記少なくとも2つの処理資源のうちの前記1つに関連する2進状態インジケータの変化を識別するステップを含む、請求項1に記載の方法。
【請求項３】
前記2進状態が、電力印加状態および電力非印加状態のうちの1つを定義する、請求項2に記載の方法。
【請求項４】
前記少なくとも2つの処理資源のうちの1つの前記現在の状態の変化を識別するステップが、前記少なくとも2つの処理資源のうちの前記1つに関連するクロック周波数の変化を識別するステップを含む、請求項1に記載の方法。
【請求項５】
前記少なくとも2つの処理資源のうちの1つの前記現在の状態の変化を識別するステップが、システム電力マネージャから前記変化を示す信号を受け取るステップを含む、請求項1に記載の方法。
【請求項６】
前記電力領域への前記入力パラメータに対する前記決定された調整を適用するステップが資源ハードウェア状態論理を使用するステップを含む、請求項1に記載の方法。
【請求項７】
資源ハードウェア状態論理を使用するステップが、電源に送られる制御信号を生成するステップを含む、請求項6に記載の方法。
【請求項８】
前記制御信号が、電圧を調整するように前記電源に命じる、請求項7に記載の方法。
【請求項９】
前記少なくとも2つの処理資源のうちの1つの前記現在の状態の変化を識別するステップが、前記少なくとも2つの処理資源のうちの前記1つに関連するセンサから信号を受け取るステップを含む、請求項1に記載の方法。
【請求項１０】
前記センサからの前記信号がクロック周波数を示す、請求項9に記載の方法。
【請求項１１】
前記センサからの前記信号が、電源のオン/オフ状態を示す、請求項9に記載の方法。
【請求項１２】
前記入力パラメータに対する調整を決定する前に、受け取った信号をフィルタリングするためにマスキング論理を実行するステップをさらに含む、請求項9に記載の方法。
【請求項１３】
前記センサからの前記信号が、前記少なくとも2つの処理資源のうちの第2の処理資源と関連する第2のセンサをバイパスする、請求項9に記載の方法。
【請求項１４】
前記電力領域への前記入力パラメータに対する前記決定された調整を適用するステップが、前記少なくとも2つの処理資源にタスクを割り当てるためのタスク割当て論理を修正するようスケジューラをトリガする情報を前記スケジューラに通信するステップを含む、請求項1に記載の方法。
【請求項１５】
前記情報が、電圧マージンと、前記少なくとも2つの処理資源との1対1の関係における回路の相対応答性とのうちの1つまたは複数から選択される、請求項14に記載の方法。
【請求項１６】
携帯型コンピューティングデバイス内に配置された電力領域であって、
共有電源によって電力が供給される少なくとも2つの処理資源と、
前記電力領域にわたって配置される一組のセンサと、
前記少なくとも2つの処理資源に結合され、かつ、前記一組のセンサから情報を受け取るように構成されたコントローラであって、資源ハードウェア状態論理を用いて前記情報を処理し、前記電力領域内の前記少なくとも2つの処理資源に対する所望の入力電圧を決定するために電源によって使用される第1の制御信号を生成するように構成されるコントローラとを備え、
前記一組のセンサは、前記コントローラで始まって前記コントローラで終わるセンサバス上で互いに直列に結合され、少なくとも1つのセンサは、前記コントローラと第1の処理資源との間に結合され、少なくとも1つのセンサは、前記コントローラと最後の処理資源との間に結合され、少なくとも1つのセンサは、前記処理資源の各々の中に含まれ、
前記コントローラは、少なくとも2つの処理資源の現在の状態を監視し、
前記コントローラは、前記一組のセンサから、修正されたセンサチェーンプロトコルにより受け取られる情報に基づき、前記少なくとも2つの処理資源のうちの1つの前記現在の状態の変化を識別し、
前記コントローラは、前記少なくとも2つの処理資源のうちの1つの前記現在の状態の前記識別された変化に応答して、前記電力領域への入力パラメータに対する調整を決定し、
前記コントローラは、前記電力領域への前記入力パラメータに対する前記決定された調整を適用する、電力領域。
【請求項１７】
前記資源ハードウェア状態論理が、前記少なくとも2つの処理資源のためのそれぞれの電源電圧の存在に応答する、請求項16に記載の電力領域。
【請求項１８】
前記資源ハードウェア状態論理が、前記少なくとも2つの処理資源のためのそれぞれのクロック周波数に応答する、請求項16に記載の電力領域。
【請求項１９】
前記資源ハードウェア状態論理が、センサチェーン信号プロトコルの中に埋め込まれた状態情報に応答する、請求項16に記載の電力領域。
【請求項２０】
前記コントローラが、前記少なくとも2つの処理資源にタスクを割り当てるためのタスク割当て論理を修正するためにスケジューラによって使用される第2の制御信号を生成するようにさらに構成される、請求項16に記載の電力領域。
【請求項２１】
携帯型コンピューティングデバイス内の電力領域を動的に制御するための方法であって、前記電力領域が電源およびコントローラを共有する処理資源を含み、前記方法が、
前記携帯型コンピューティングデバイス内の前記電力領域における少なくとも2つの処理資源の現在の状態を監視するステップと、
前記コントローラで始まって前記コントローラで終わるセンサバス上で互いに直列に結合される一組のセンサから、修正されたセンサチェーンプロトコルによる情報を受け取るステップであって、前記情報は、前記電力領域における前記少なくとも2つの処理資源のうちの1つの前記現在の状態の変化を識別し、少なくとも1つのセンサは、前記コントローラと第1の処理資源との間に結合され、少なくとも1つのセンサは、前記コントローラと最後の処理資源との間に結合され、少なくとも1つのセンサは、前記処理資源の各々の中に含まれる、ステップと、
前記一組のセンサから前記修正されたセンサチェーンプロトコルにより受け取られた情報に応答して、前記電力領域への入力パラメータに対する調整を決定するステップと、
前記少なくとも2つの処理資源の前記現在の状態に応答して、前記電力領域でのセンサバスを修正するステップと、
前記電力領域への前記入力パラメータに対する前記決定された調整を適用するステップとを含む方法。
【請求項２２】
前記少なくとも2つの処理資源のうちの1つの現在の状態を監視するステップが、前記処理資源の少なくとも2つの電力供給状態を監視するステップを含む、請求項21に記載の方法。
【請求項２３】
前記少なくとも2つの処理資源のうちの1つの現在の状態を監視するステップが、前記少なくとも2つの処理資源のうちの前記1つに関連するクロック周波数を監視するステップを含む、請求項21に記載の方法。
【請求項２４】
前記センサバスを修正するステップが、センサをバイパスするステップを含む、請求項21に記載の方法。
【請求項２５】
前記センサバスを修正するステップが、センサから電力を除去するステップを含む、請求項21に記載の方法。
【請求項２６】
携帯型コンピューティングデバイス内に配置された電力領域であって、
共有電源によって電力が供給される少なくとも2つの処理資源と、
前記電力領域にわたって配置される一組のセンサと、
前記少なくとも2つの処理資源に結合され、かつ、前記少なくとも2つの処理資源を監視する前記一組のセンサから、修正されたセンサチェーンプロトコルによる情報を受け取るように構成されたコントローラであって、資源ハードウェア状態論理を用いて前記情報を処理し、前記電力領域内の前記少なくとも2つの処理資源に対する所望の入力電圧を決定するために電源によって使用される第1の制御信号を生成するように構成されるコントローラとを備え、
前記一組のセンサは、前記コントローラで始まって前記コントローラで終わるセンサバス上で互いに直列に結合され、少なくとも1つのセンサは、前記コントローラと第1の処理資源との間に結合され、少なくとも1つのセンサは、前記コントローラと最後の処理資源との間に結合され、少なくとも1つのセンサは、前記処理資源の各々の中に含まれ、
前記コントローラは、前記一組のセンサから、修正されたセンサチェーンプロトコルにより受け取られる情報に基づき、前記少なくとも2つの処理資源のうちの1つの現在の状態の変化を識別し、
前記コントローラは、前記少なくとも2つの処理資源のうちの1つの前記現在の状態の前記識別された変化に応答して、前記電力領域への入力パラメータに対する調整を決定し、
前記コントローラは、前記電力領域への前記入力パラメータに対する前記決定された調整を適用する、電力領域。
【請求項２７】
前記資源ハードウェア状態論理が、前記少なくとも2つの処理資源についての各クロック周波数に応答する、請求項26に記載の電力領域。
【請求項２８】
前記資源ハードウェア状態論理が、センサチェーン信号プロトコル内に埋め込まれた状態情報に応答する、請求項26に記載の電力領域。
【請求項２９】
前記コントローラが、前記少なくとも2つの処理資源にタスクを割り当てるためのタスク割当て論理を修正するために、スケジューラを使用して第2の制御信号を生成するようにさらに構成される、請求項26に記載の電力領域。
【請求項３０】
前記スケジューラが、前記入力電圧および利用可能なクロック周波数を使用してタスクを実施することができる処理資源の識別に応答して前記タスクを割り当てるためのタスク割当て論理を修正する、請求項29に記載の電力領域。